(57)【要約】      （修正有）【課題】装着ベルトを係止部に係止した時のねじれを防止して、良好なフィット感を維持しつつ、ホールド感も向上するスポーツ用手袋を提供する。【解決手段】スポーツ用手袋１は、手甲上部２０ａ、掌部、各手甲下部１０ｂ１，１０ｂ２、親指部２、人差し指部３、中指部４、薬指部５、小指部６を備え、また、装着時には各手挿入用開口縁１６ａ，１６ｂを離反するようにして開口部を開放し、装着後には裏面側の面ファスナーで掌部手甲下部領域の係止部８に係止することで各手挿入用開口縁１６ａ，１６ｂを接近させ、手首側を締める装着ベルト７を備え、装着ベルト係止時に、掌部から各手甲下部１０ｂ１，１０ｂ２の各手挿入用開口縁１６ａ，１６ｂに向かう締め付け力が作用して、ねじれを防止する。【選択図】図１
0003212896.tif 000002
【実用新案登録請求の範囲】
【請求項１】
縫製前の基本的な手袋パーツをともに伸縮性素材からなる手甲上部片と掌部片により構成し、前記手甲上部片は、人指し指部片と、中指部片と、薬指部片と、小指部片とを有し、前記掌部片は、掌領域とこの掌領域を挟んで位置する第１手甲下部領域と第２手甲下部領域からなり、前記掌領域は人指し指部片と、中指部片と、薬指部片と、小指部片と、親指取り付け孔とを有する一方、前記各手甲下部領域は手挿入用開口縁を形成する第１手甲下部領域側の第１側端縁と第２手甲下部領域側の第２側端縁とを有し、前記第１側端縁は装着ベルト縫着縁であり、前記手甲上部片の人指し指部片外側縁上端から小指部片外側縁上端に至る縁部と、前記掌部片の人指し指部片外側縁上端から前記第２側端縁上端に至る縁部及び小指部片外側縁上端から第１側端縁上端に至る縁部とを縫着し、前記手甲上部片と掌部片の各対応する指部片同士の縁部を縫着し、前記親指取り付け孔に親指部を縫着してなり、前記手甲下部領域には、前記第１側端縁に縫着した装着ベルトを係止する係止部を設けることを特徴とするスポーツ用手袋。
【請求項２】
前記掌部片は前記手甲上部片よりも伸縮性の小さい素材で形成したことを特徴とする請求項１記載のスポーツ用手袋。
【考案の詳細な説明】
【技術分野】
【０００１】
本考案は、ゴルフや野球などのグリップ時の良好なフィット感が求められるスポーツ用の手袋に関する。
【背景技術】
【０００２】
従来のこの種手袋では、伸縮性素材を用いてフィット感を得るとともに、手の挿入用開口部を閉じる装着ベルトを設けて、装着ベルトを所定位置に係止することでフィット感の向上を図っている。ところが、一般的な装着ベルトでは、一方向に横に引っ張るようにして係止することになるため、横一方向にのみ締め付け力が作用して手袋にねじれが生じてしまい、良好なフィット感を得られないという欠点を有している。これを解消するものとして、例えば、手袋本体の掌部片の人指し指側下端付近の斜め下方に帯状片を形成し、手甲部片と掌部片の縫合に際し、前記帯状片を甲部片の表面側に重ねるようにして斜め方向に縫着し、前記帯状片に沿って斜め上方に向けてアジャスター（装着ベルト）を係止できるようにした構成が提案されている（特許文献１）。
【先行技術文献】
【特許文献】
【０００３】
【特許文献１】特許第４５７４４４８号公報
【考案の概要】
【考案が解決しようとする課題】
【０００４】
しかしながら、上記提案のスポーツ用手袋は、帯状片を甲部片の表面側に重ねて縫着しているので、他の部分より厚みが増すとともに、伸縮性を損なうことになるので、使用者に違和感を生じさせてしまうという不都合を有している。本考案は、従来の一般的なスポーツ用手袋が有する欠点を解消することはもちろん、前記不都合をも解消した、スポーツ用手袋を提供することを目的とする。
【課題を解決するための手段】
【０００５】
この目的を達成するため、本考案に係るスポーツ用手袋１は、縫製前の基本的な手袋パーツをともに伸縮性素材からなる手甲上部片２０と掌部片１０により構成し、前記手甲上部片２０は、人指し指部片２１と、中指部片２２と、薬指部片２３と、小指部片２４とを有し、前記掌部片１０は、掌領域１０Ａとこの掌領域１０Ａを挟んで位置する第１手甲下部領域１０Ｂ１と第２手甲下部領域１０Ｂ２からなり、前記掌領域１０Ａは人指し指部片１１と、中指部片１２と、薬指部片１３と、小指部片１４と、親指取り付け孔１５とを有する一方、前記各手甲下部領域１０Ｂ１，１０Ｂ２は手挿入用開口縁を形成する第１手甲下部領域１０Ｂ１側の第１側端縁１６ａと第２手甲下部領域１０Ｂ２側の第２側端縁１６ｂとを有し、前記第１側端縁１６ａは装着ベルト縫着縁であり、前記手甲上部片２０の人指し指部片２１外側縁上端から小指部片２４外側縁上端に至る縁部ｃと、前記掌部片１０の人指し指部片１１外側縁上端から前記第２側端縁１６ｂ上端に至る縁部ｄ及び小指部片１４外側縁上端から第１側端縁１６ａ上端に至る縁部ｅとを縫着し、前記手甲上部片２０と掌部片１０の各対応する指部片同士の縁部を縫着し、前記親指取り付け孔１５に親指部を縫着してなり、前記手甲下部領域１０Ｂ２には、前記第１側端縁１６ａに縫着した装着ベルト７を係止する係止部８を設けるものである。
【０００６】
また、上記構成において、前記掌部片１０は前記手甲上部片２０よりも伸縮性の小さい素材で形成すると好適である。
【考案の効果】
【０００７】
本考案に係るスポーツ用手袋によれば、掌部片の両端部を形成する各手甲下部領域に装着ベルトと係止部を設けたので、装着ベルトを係止部に係止して閉じた時に、締め付け力は掌部片に対して、各手甲下部領域の装着ベルト及び係止部を設けた各端部に向かうよう作用するので、一方向にのみ締め付け力が作用して手袋がねじれることがなく、使用者に違和感を生じさせず、グリップ時の良好なフィット感を維持しつつ、ホールド感も向上するという効果を奏する。また、前記掌部片は前記手甲上部片よりも伸縮性の小さい素材で形成すると、グリップ時のフィット感及びホールド感がより一層向上するという効果を奏する。
【図面の簡単な説明】
【０００８】
【図１】本発明をゴルフ用手袋に適用した実施例の手の甲側を示す斜視図。
【図２】同じく掌側を示す斜視図。
【図３】掌部片と手甲上部片を示す平面図。
【考案を実施するための形態】
【０００９】
以下、本考案の好適な実施形態を添付図面に基づいて説明する。まず、図３に基づいて、ゴルフ用手袋として縫製する前の基本的な手袋パーツである掌部片と手甲上部片について説明する。掌部片１０と手甲上部片２０はともに伸縮性素材、例えば天然皮革、人工皮革、合成皮革からなる。前記掌部片１０は、掌領域１０Ａと、この掌領域１０Ａを挟んで両側に位置する第１手甲下部領域１０Ｂ１と第２手甲下部領域１０Ｂ２からなる。
【００１０】
手甲上部片２０は、人指し指部片２１と、中指部片２２と、薬指部片２３と、小指部片２４とを有する。一方、掌部片１０の掌領域１０Ａは人指し指部片１１と、中指部片１２と、薬指部片１３と、小指部片１４と、親指取り付け孔１５とを有する。また、第１手甲下部領域１０Ｂ１と第２手甲下部領域１０Ｂ２は、手挿入用開口縁を形成する第１側端縁１６ａと、第２側端縁１６ｂを有する。
【００１１】
第１側端縁１６ａは装着ベルト７（図１参照）を縫着する側端縁である。そして、第２側端縁１６ｂ近傍の第２手甲下部領域１０Ｂ２には、前記第１側端縁１６ａに縫着した装着ベルト７を係止する係止部８（図１参照）を設ける。前記装着ベルト７と前記係止部８の接合面には、図示してはいないが、公知の面ファスナーの雌雄部が相対的に設けられている。
【００１２】
次に、掌部片１０と手甲上部片２０の縫着について説明する。手甲上部片２０の人指し指部片２１外側縁上端から小指部片２４外側縁上端に至る曲状縁部ｃと、掌部片１０の人指し指部片１１外側縁上端から第２側端縁１６ｂ上端に至る曲状縁部ｄ及び小指部片１４外側縁上端から第１側端縁１６ａ上端に至る曲状縁部ｅとを縫着し、また、掌部片１０と手甲上部片２０の各対応する指部片同士の縁部を縫着する。さらに、掌領域１０Ａの親指取り付け孔１５に、親指部２（図１，図２参照）を縫着する。
【００１３】
このようにして縫製されたゴルフ用手袋１は、図１及び図２に示すように、手甲上部片２０に対応する手甲上部２０ａ、掌部片１０に対応する掌部１０ａ、装着ベルト７を設けた第１手甲下部領域１０Ｂ１に対応する第１手甲下部１０ｂ１、係止部８を設けた第２手甲下部領域１０Ｂ２に対応する第２手甲下部１０ｂ２、親指部２、人差し指部３、中指部４、薬指部５、小指部６を備えている。そして、装着時には各手挿入用開口縁１６ａ，１６ｂを離反するようにして開口部を開放し、装着後には前記装着ベルト７を、裏面側の面ファスナーで前記係止部８に係止することで各手挿入用開口縁１６ａ，１６ｂを接近させ、手首側を締めるものである。
【００１４】
ゴルフ用手袋１は、装着ベルト７を係止部８に係止した時に、掌部１０ａから各手甲下部１０ｂ１，１０ｂ２の各側端縁１６ａ，１６ｂに向かう締め付け力が作用するので、横一方向の締め付け力で生じるねじれが発生しない。したがって、良好な締め付け力によって、グリップ時にフィット感を損なわず、ホールド感を高めることができる。
【００１５】
なお、本考案は上述の実施形態に限定されるものではなく、例えば、手甲上部片２０と掌部片１０の伸縮性素材として、部分的にメッシュ材やニット材を使用することもできる。また、掌部片１０を手甲上部片２０よりも伸縮性の小さい素材で形成すると、フィット感が一層向上する。さらに、ゴルフ用手袋以外に、野球用やモータースポーツ用等のグリップが重要視される手袋に適用することができる。
【符号の説明】
【００１６】
１      ゴルフ用手袋
２      親指部
３      人指し指部
４      中指部
５      薬指部
６      小指部
７      装着ベルト
８      係止部
１０      掌部片
１０ａ      掌部
１０ｂ１      第１手甲下部
１０ｂ２      第２手甲下部
１０Ａ      掌領域
１０Ｂ１      第１手甲下部領域
１０Ｂ２      第２手甲下部領域
１１，２１      人指し指部片
１２，２２      中指部片
１３，２３      薬指部片
１４，２４      小指部片
１５      親指取り付け孔
１６ａ      第１側端縁（手挿入用開口縁）
１６ｂ      第２側端縁（手挿入用開口縁）
２０      手甲上部片
２０ａ      手甲上部
【図１】
0003212896.tif 000003
【図２】
0003212896.tif 000004
【図３】
0003212896.tif 000005